(57)【要約】  本発明は多機能ビルトイン洗濯乾燥洗面ユニットに関する。既存のキャビネット、洗面器とキャビネット内に位置する全自動洗濯機本体等の基礎の上、改良したもので、即ちキャビネットの上部にはエンクロージャーフレームが設けられ、前記エンクロージャフレームには全自動洗濯機本体と対応するカバープレートがヒンジ結合され、且つ制御スイッチと給水ジョイントが分布される一方、前記キャビネット内には全自動洗濯機本体の片側にドラム式乾燥機本体が設けられ、前記キャビネットの正面にはドラム式乾燥機本体と対応するフロントドアが設けられ、洗面器は前記ドラム式乾燥機本体の上方のエンクロージャーフレームに位置する。既存の技術に比べ、本発明は洗濯機、洗面器と乾燥機を巧妙に国家安全基準に適する複合機に組合わせることで、占用空間が少なく、製造コストが低く、機能が充実し、高さが適当で、使用する時、時間節約、便利、省エネで、設置し易く、震動と騒音が小さく、輸送コストも低いゆえ、全体のスタイルが一致する特徴を有していることから、応用を押し広める価値がある。
2011509105.tif 000002
【特許請求の範囲】
【請求項１】
キャビネット（１）、洗面器（２）及びキャビネット内に設置する全自動洗濯機本体（３）を備え、前記キャビネット（１）内には洗面器の排水孔（２１）、オーバーフロー孔（２２）、全自動洗濯機本体の排水管排水口と連通している排水ホース（２０）が配置されている多機能ビルトイン洗濯乾燥洗面ユニットにおいて、その特徴は、
前記キャビネット（１）の上部にはエンクロージャーフレーム（５）が設けられており、前記エンクロージャーフレームには、全自動洗濯機本体（３）に対応するカバープレート（３１）がヒンジ結合され、且つ制御スイッチ（１０）及び給水ジョイント（３２）が配置されており、
前記キャビネット（１）内には前記全自動洗濯機本体（３）の片側にドラム式乾燥機本体（４）が設けられており、前記キャビネット（１）の正面にはドラム式乾燥機本体と対応するフロントドア（４１）が設けられ、
前記洗面器（２）は前記ドラム式乾燥機本体の上方にあるエンクロージャーフレーム（５）に配置されている、
多機能ビルトイン洗濯乾燥洗面ユニット。
【請求項２】
前記洗面器とドラム式乾燥機本体との間のキャビネットには引出式構造を有する収納箱（８）が設けられている、ことを特徴とする請求項１に記載の多機能ビルトイン洗濯乾燥洗面ユニット。
【請求項３】
前記エンクロージャーフレーム（５）には、洗面器（２）の後上方に位置する収納棚（３０）が垂直に固定されている、ことを特徴とする請求項１に記載の多機能ビルトイン洗濯乾燥洗面ユニット。
【請求項４】
前記フロントドア（４１）上方のキャビネット表面には、止水板（１２）が固定されている、ことを特徴とする請求項１に記載の多機能ビルトイン洗濯乾燥洗面ユニット。
【請求項５】
前記ドラム式乾燥機本体（４）の制御スイッチパネル（４２）は前記止水板の下方のキャビネット（１）に設置されている、ことを特徴とする請求項４に記載の多機能ビルトイン洗濯乾燥洗面ユニット。
【請求項６】
前記洗面器（２）の上端部又は洗面器（２）周囲のエンクロージャーフレーム（５）には防水凸縁（５１）が設けられている、ことを特徴とする請求項１に記載の多機能ビルトイン洗濯乾燥洗面ユニット。
【請求項７】
前記キャビネット内には洗面器の給水管と全自動洗濯機本体の給水管とを連結する導水管が配置されている、ことを特徴とする請求項１から６のいずれかに記載の多機能ビルトイン洗濯乾燥洗面ユニット。
【請求項８】
前記洗面器（２）は、ステンレス鋼板のプレス加工又はエンプラ加工、或いは前記洗面器（２）の内外層の組合せにより形成され、そのうち、外層はエンプラ加工または金属板金をプレス加工し、内層はステンレス鋼板又はセラミック又はガラスで接水層を製造し、且つ内層を外層内に嵌入する際に、密封リングとボルトで一体に密封固定され、或いはエンクロージャーフレーム（５）と洗面器（２）は一つのステンレス鋼板のプレス加工又は一つのエンプラ加工により一体形成される、ことを特徴とする請求項１から６のいずれかに記載の多機能ビルトイン洗濯乾燥洗面ユニット。
【請求項９】
前記キャビネット（１）内には、洗面器（２）と全自動洗濯機本体とに熱水を提供するための瞬間型給湯装置（５０）がさらに配置され、前記瞬間型給湯装置の冷水給水孔は導水管（６０）を通じて給水ジョイント（３２）に連通される、ことを特徴とする請求項１から６のいずれかに記載の多機能ビルトイン洗濯乾燥洗面ユニット。
【請求項１０】
前記全自動洗濯機本体（３）と、前記ドラム式乾燥機本体（４）と、前記瞬間型給湯装置（５０）との電源線は一つの電源プラグ（７）に接続されている、ことを特徴とする請求項９に記載の多機能ビルトイン洗濯乾燥洗面ユニット。
【発明の詳細な説明】
【技術分野】
【０００１】
本発明は衣服の洗濯乾燥装置に関わり、具体的には洗面器を備えたビルトイン洗濯乾燥洗面ユニットに関する。
【背景技術】
【０００２】
季節の冷暖変化に伴い、人々は衣服を増減する。通常、秋冬の季節においては着る衣服が比較的に多いため、衣服の清潔はより全自動洗濯機の洗濯とドラム式乾燥機の乾燥に頼るが、春夏の季節においては着る衣服が比較的に薄いことから、人々は習慣的に小さくて薄い衣服を洗面器に置き、簡単に洗った後、干して乾燥させる。これにより、省エネのみならず、便利で速い。このため、中国都会の家庭では、通常日常クリーニング用の洗濯機、乾燥機と洗面器を用意している。
【０００３】
しかし、現在市販されている通常の洗濯機、ドラム式乾燥機と洗面器はそれぞれ独立した構造であり、設置場所もそれぞれ分散しているため、比較的に大きな居室空間を占用する。また、洗濯機と洗面器の給水、排水配管も独立して分布しているため、配管が複雑である。居室面積が比較的に小さい住民にとって、このような欠陥はより明らかである。
【０００４】
上述した洗濯機、ドラム式乾燥機、洗面器のそれぞれ独立した構造が有する欠陥は一部の学生寮にも存在している。学生は成長段階であるため、着替え衣服はそれほど多く用意しておらず、雨の日に衣服が濡れたとか運動による汗で衣服が濡れた際、タイムリーに取替え、洗濯乾燥させる必要がある。しかし、学生寮は比較的小さな空間に多くの人が同居しており、洗濯機、ドラム式乾燥機、洗面器の占用面積が大きすぎて設置場所がないため、生活条件が良くなった現在、学生達が金を集めて共用のクリーニング装置を購入しようとしても実現不可能である。
【０００５】
上述したことから分かるように、現段階では洗濯機、ドラム式乾燥機、洗面器いずれも単品であるため、消費者は自分の家庭に適した家電製品を探すことに悩んでいる。このため、マルチ機能を合理的な組合せは、電器製品の発展趨勢であり、資源整合による資源の節約を実現する一種の生活理念でもある。
【０００６】
そこで、人々は洗面器を備えた洗濯機を考案し、例えば、中国特許授権公告番号がＣＮ２８３２８７６Ｙである「洗面器取付構造を備えた洗濯機」には、洗濯機本体の上部開口部に洗面器をヒンジ連結し、洗面器を開けば洗濯機の入口が露出して衣服の投入と取出しに便利な構造が開示されている。また、中国特許授権公告番号がＣＮ２４６４７５８Ｙである「洗面器を備えた洗濯機」のように、この種の洗濯機は主にフロントドアドラム式洗濯機を採用し、前記ドラム式洗濯機の頂部に洗面器を嵌設し、且つ一つの下水道を共用している。言うまでもなく、上述した分散している構造に比べ、このような洗面器と洗濯機を複合した構造は、ある程度空間を節約でき、居住面積を増大させる機能を有する。
【０００７】
しかし、詳細に分析すれば、このような二者合一の構造は依然として下記の欠陥がある：前者にとって、洗面器と洗濯機の使用は互いに一定の制約を受け、且つ洗面器の底部には排水管が連結されているため、洗面器を繰り返し動かすと、一方では洗面器の敏捷な動きを妨げ、他方では排水管が壊れ易い。後者にとって、まずは、洗面器の台面は高すぎ、使用上不便であるという欠陥を有する。これは、ドラム式洗濯機は脱水する時に高速に回転しており、高速回転時の震動を減少するため、回転ドラムの下方に柱状のダンパーバッファ柱とアウタードラムの上方に厚さのあるアクセサリーウェイトを設けることで、ドラム式洗濯機の全体の高さは当該構造の制限を受けると同時に、洗濯容量の増大に伴い高くなる。ネットで調べた結果のように、２００７年ハイアール公司の最小サイズのドラム式洗濯機（乾燥機能を備えていない規格はＸＱＧ５０−Ｅ７００、乾燥機能を備えている規格はＸＱＧ５０−ＨＤＢ１０００、洗浄容量は何れも５.０ｋｇ）の高さは８５０ｍｍである。今現在、人々が生活の中で使用している洗面器の深さは１３０−１８０ｍｍで、洗面器底部にある出水ジョイントの高さは約６０ｍｍで、三者を組合わせた高さは９３０−１０３０ｍｍの間で、この高さは大人が使用する８００−８５０ｍｍの洗面台の通常の高さを遥かに上回っている。未成年の学生にとっては、さらに不便である。次に、上述した欠陥を克服するためには、何よりも重要なのはドラム式洗濯機の全体の高さを低下させる、即ち回転ドラムの直径を縮小させることにある。しかしながら、ドラム式洗濯機は衣服を回転させる過程で高い所から落下させて水面を叩き打つことで衣服を洗浄するため、直径が小さすぎる回転ドラムでは衣服を回転させることができず、洗浄率を大幅に低下させ、且つドラム式洗濯機の利点を失う。さらに、ドラム式洗濯機そのものの製造コストが高く、同様のエネルギー消費と時間内で洗浄比が攪拌型全自動洗濯機より劣っている。上述した各種の理由に鑑み、現在の市場では洗面器を備えた洗濯機はまだ見当たらない。
【０００８】
人々の生活需要を満足するため、最近市場では出現した前記ドラム式洗濯機には乾燥機能を備えた技術含有量が比較的に高い機種もあり、このような洗濯機は敷地面積が小さく、使用上便利である特徴も有しているものの、一つのドラムを共用しているため、衣服を洗濯しながら衣服を乾燥させることができず、同じ時間帯内での洗濯と乾燥操作を妨げ、同様な条件下で、より長い時間を費やして衣服の洗濯と乾燥をしなければならない。他方で、乾燥機能を備えたドラム式洗濯機は衣服が回転ドラムでの洗浄、脱水と乾燥する過程で、熱風で衣服を乾燥させると同時に、ドラムに残されている水滴及びドラム内の流れ尽くされていない大量の水滴と未排出のたまり水を乾燥させるため、乾燥させるたび、より長い時間と多いエネルギー消費が必要となり、よって使用コストが高い弊害をもたらす。それに、ドラム式洗濯機の構造が複雑で、それゆえに乾燥機能を備えた構造は製造コストが高く、販売価格も高いため、比較的高い消費能力を有する少数の人々にしか適していない。
【発明の概要】
【０００９】
従来技術の現状に対し、本発明が解決しようとする技術問題は、占用する空間が小さく、コストが低く、使用の高さに適し、同時に使用することにより省エネが可能な多機能ビルトイン洗濯乾燥洗面ユニットを提供することにある。
【００１０】
上述した技術問題を解決するため、本発明が採用した技術方案は下記のとおりである。当該多機能ビルトイン洗濯乾燥洗面ユニットはキャビネット、洗面器とキャビネット内に位置する全自動洗濯機本体を備え、前記キャビネット内には洗面器の排水孔、オーバーフロー孔、全自動洗濯機本体の排水管排水口と連通している排水ホースが配置され、前記キャビネットの上部にはエンクロージャーフレームが設けられ、前記エンクロージャフレームには全自動洗濯機本体と対応するカバープレートがヒンジ結合され、且つ制御スイッチと給水ジョイントが分布される一方、前記キャビネット内には全自動洗濯機本体側にドラム式乾燥機本体が設けられ、前記キャビネットの正面にはドラム式乾燥機本体と対応するフロントドアが設けられ、前記洗面器は前記ドラム式乾燥機本体の上方のエンクロージャーフレームに位置することを特徴する。
【００１１】
本発明の更なる改善としては、洗面器とドラム式乾燥機本体の間のキャビネットに引出式収納箱を設け、当該収納箱を利用して洗浄用品を収納することができる。又はエンクロージャーフレームに洗面器の後上方に位置する収納棚を垂直に固定し、当該収納棚を利用して洗浄用品や洗う服を置くことで、本発明の構造をより緊密にさせると同時に、機能をより充実させる。
【００１２】
フロントドア上方のキャビネット表面に止水板を設け、前記ドラム式乾燥機本体の制御スイッチパネルを前記止水板の下方のキャビネットに設置することが好ましく、これによりドラム式乾燥機本体又は制御スイッチパネルへの水の流れを効果的に阻止することができる。同時に、洗面器の上端部又は洗面器周囲のエンクロージャーフレームに防水凸縁を設け、当該防水凸縁は少なくとも一側に設け、又は内側から外側に多重に設計することができ、これにより外への水の流れを防止することができ、構造と使用性能が安全需要を満たすようにする。
【００１３】
勿論、前記ドラム式乾燥機本体の制御スイッチパネルは単独的にエンクロージャーフレームに設置するか、または前記全自動洗濯機本体の制御スイッチと統一し、全体として一つの制御パネルに設置することもできる。
【００１４】
非常に実用的なのは、キャビネット内に洗面器の給水管と全自動洗濯機本体の給水管を連結する導水管が配置され、本体の給水ジョイントと外部水源が連結されることで、同時に洗面器と洗濯機に給水する目的を達させる。言うまでもなく、これにより連結費用の節約のみならず、使用上便利である。
【００１５】
上述した各方案において、前記洗面器はステンレス鋼板のプレス加工又はエンプラにより成形される。このような洗面器は構造が簡単で、製造し易い。さらに、内外層組合せの方式を採用することもでき、即ち、外層はエンプラ加工または金属板金をプレス加工し、内層はステンレス鋼板又はセラミック又はガラスで接水層を製造し、且つ内層を外層内に嵌入する際に、密封リングとボルトで一体に密封固定することで、異なる使用者の好みを満足させる。さらに、エンクロージャーフレームと洗面器を一つステンレス鋼板のプレス加工又は一つのエンプラ加工により一体化されることができ、このような一体化された部品はより取付し易く、水の浸出をさらに防止することができる。
【００１６】
比較的便利で、実用的なものは、キャビネット内にはさらに水槽と全自動洗濯機本体に熱水を提供する瞬間型給湯装置が配置され、前記瞬間型給湯装置の冷水給水孔は導水管を通じて給水ジョイントと連通されることができ、前記瞬間型給湯装置の制御パネルは単独的にエンクロージャーフレームに設置するか、又は前記全自動洗濯機本体の制御スイッチと統合して全体的に一つの制御パネルに設置することもできる。本方案において、前記瞬間型給湯装置は電気加熱方式を採用することができ、即ち制御パネルにおける対応するスイッチを操作することで、瞬間型給湯装置ハウジング内を流れる冷水を即時に必要な温度の熱水まで加熱し、前記熱水は同時又は別々に洗面器と全自動洗濯機本体に提供して使用される。
【００１７】
電器プラグを減少させるため、全自動洗濯機本体、ドラム式乾燥機本体と瞬間型給湯装置の電源線を一つの電源プラグに連結し、これにより操作し易く、外部の電源プラグの分布を減少させた。
【００１８】
従来技術に比べ、本発明は洗濯機、洗面器と乾燥機を精巧に国家安全基準に適合する複合機に組合わせたため、下記の利点がある。（１）消費者希望の占用空間が小さく、製造コストが低く、機能が完備する要求を満たすと同時に、乾燥機と洗面器の高さの組合せを利用して人々が洗面する時の使用高さの要求に達することができる。（２）洗濯と乾燥機能を分け、同時操作を行うことができるようにすることで、時間節約、便利、省エネの使用目的を実現する。（３）一体構造であるため、設置し易く、全体の接地面積が大きいため、全自動洗濯機とドラム式乾燥機の運転過程での震動と騒音を減少すると同時に、輸送コストを低下させた。（４）設計が一体化されているため、室内の設置効果を向上することができる。
【図面の簡単な説明】
【００１９】
【図１】本発明の第一実施例の立体図である。
【図２】本発明の第一実施例の背面図である。
【図３】本発明の第一実施例の側面図である。
【図４】本発明の第二実施例の背面図である。
【発明を実施するための形態】
【００２０】
以下、図面に基づいて、本発明の実施例に対し更に詳しく説明する。
【００２１】
実施例１は、図１から図３に示されているように、洗濯乾燥洗面ユニットはキャビネット１、洗面器２、キャビネット内に位置し、且つ並列に配設されている全自動洗濯機本体３とドラム式乾燥機本体４を備え、全自動洗濯機本体３は渦巻き式又は攪拌式全自動洗濯機のインナーコアを採用し、ドラム式乾燥機本体４はフロントドアドラム式乾燥機のインナーコアを採用しているが、これらは何れも通常の既存技術であるため、詳細な説明を省略する。キャビネット１の上部にはエンクロージャーフレーム５が設けられ、底部は台座１１に固定され、即ち本実施例においては、キャビネット１、エンクロージャーフレーム５と台座１１により前記複合機のハウジングが形成される。勿論、キャビネットと台座は一体的に製造されても良い。上述したエンクロージャーフレーム５には全自動洗濯機本体３と対応するカバープレート３１がヒンジ結合され、それに全自動洗濯機本体３の制御スイッチと給水ジョイント３２が分布される一方、前記キャビネットの正面にはドラム式乾燥機本体４と対応するフロントドア４１と制御スイッチパネル４２が設けられている。前記洗面器には排水孔２１とオーバーフロー孔２２が設けられ、且つ前記ドラム式乾燥機本体４の上方のエンクロージャフレーム５に位置し、エンクロージャフレーム５には前記洗面器に給水するための蛇口９が設けられている。同時に、複合機の給水、排水及び外部電源への接続をし易くするため、前記複合機は給水ホース６、排水ホース２０と電源プラグのみを配設し、給水ホース６はたわみ管を採用して給水ジョイントに連結される一方、キャビネット内において、導水管を通じて洗面器の蛇口９の給水口を給水ジョイントに連通させることで、洗面器と洗濯へ同時に給水することができる。一方で、前記排水ホース２０はパイプを通じて前記洗面器の排水孔２１、オーバーフロー孔２２と全自動洗濯機本体の排水管排水口に連通されることで、前記排水ホース２０を通じて洗面器、全自動洗濯機の水を公共の下水道孔に排出することができる。全自動洗濯機本体とドラム式乾燥機本体が一つの電源プラグを備えた電源線を使用しているため、電源線コンセントの分布を減少させることができる。
【００２２】
本実施例において、エンクロージャーフレーム５には洗面器２の後上方に位置する収納棚３０が垂直に固定され、洗面器２とドラム式乾燥機本体４の間のキャビネットには引出式構造を有する収納箱８が設けられ、前記収納棚３０と収納箱８を利用して洗浄用品や洗濯する衣服を置くことができ、よって前記複合機の収納機能を増加させた。図２及び図３を参照されたい。
【００２３】
洗面器２を使用する過程で、下部のドラム式乾燥機本体１４内と制御スイッチパネル４２内への水の流れを防止するため、フロントドア４１の上方にあるキャビネット１の表面に止水板１２を固定し、制御スイッチパネル４２を前記止水板の下のキャビネット１に設置すると同時に、洗面器周囲のエンクロージャーフレームに防水凸縁５１を設けることで、電器設備を保護させる。
【００２４】
一体形状を確保するため、前記エンクロージャーフレーム５と洗面器２は同一のステンレス鋼板のプレス加工又は同一のエンプラ加工により一体的に形成され、且つこのような一体構造は水の浸出をより効果的に防止することができ、電器の使用上の安全を確保する。
【００２５】
実施例２は図４に示されているように、前記実施例１との異なるところは、キャビネット１内にさらに洗面器２と全自動洗濯機本体に熱水を提供するための瞬間型給湯装置５０が配置され、前記瞬間型給湯装置は通常の技術を採用しており、冷水給水孔は導水管６０を通じて給水ジョイント３２に連通され、前記瞬間型給湯装置５０の排湯口は第一熱水パイプ４０を通じて蛇口９の給湯口に連結されると同時に、第二熱水パイプ７０を通じて全自動洗濯機本体３の回転ドラム内に送られる。給水ジョイント３２は冷水パイプ８０を通じて冷水を全自動洗濯機本体３の回転ドラム内に送ると同時に、冷水パイプには冷水制御バルブ９０が設けられる。瞬間型給湯装置５０の制御パネルと全自動洗濯機本体の制御スイッチは統一、一体的に一つの制御パネル１０に設置されると同時に、前記エンクロージャフレーム５に取付られるが、図１を参照されたい。それに、瞬間型給湯装置５０の電源線も前記電源プラグ７に連結されている。
【００２６】
実施例３と実施例２の異なるところは、瞬間型給湯装置５０の制御パネル、全自動洗濯機本体の制御スイッチ、ドラム式乾燥機の制御スイッチパネル４２は統一的に一つの制御パネルに設けられ、前記制御パネルは前記エンクロージャーフレーム５に取り付けられているが、図１を参照されたい。これにより、操作がより便利であると同時に、一体構造の設計にも有利である。
【００２７】
言うまでもなく、上述した構造を採用した複合機は、人々が洗面器での洗面、全自動洗濯機を利用して行う洗濯、ドラム式乾燥機による衣服の乾燥を同時に行うことができ、互いに制限を受けず、使用上便利で速い。それに瞬間型給湯装置を利用して熱水を得ることができると同時に、乾燥機の高さが対応する洗濯機の高さより一般的に低いという特徴を利用して異なる高さの複合機を生産することができ、異なる年齢層の学生群と異なる地域の消費者の使用を満足させることができ、このような多機能複合機が使用される時により実用性を有するようにする。
【図１】
2011509105.tif 000003
【図２】
2011509105.tif 000004
【図３】
2011509105.tif 000005
【図４】
2011509105.tif 000006
【国際調査報告】
2011509105.tif 000007
2011509105.tif 000008
2011509105.tif 000009
2011509105.tif 000010
2011509105.tif 000011
2011509105.tif 000012
2011509105.tif 000013
2011509105.tif 000014